(57)【特許請求の範囲】
【請求項１】
合成樹脂または紙素材のシートを、三角柱状箱体の折り込み代を含む平面展開形状に型抜き形成し、
前記平面展開形状において、前記三角柱の側面となる部分に樹脂フィルムを接着して、ポケットを設け、
前記ポケット内にＩＣタグを収容し、
前記ポケットを内側にして、三角柱状に組み立て、
前記平面展開形状は、前記組み立て後に底面が二重となる形状であることを特徴とするＩＣタグ収容体の製造方法。
【発明の詳細な説明】
【技術分野】
【０００１】
本発明は、非接触で読み書きが可能なＩＣタグを、本体内に収容したＩＣタグ収容体などに関するものである。
【背景技術】
【０００２】
非接触型ＩＣタグは、ＩＣチップとアンテナとが設けられており、情報を記録して保持し非接触で外部装置と交信して情報交換できるので、製品等の工場での工程管理や物流管理、情報表示等の広範囲の用途に利用されている（特許文献１）。
【０００３】
例えば、工場等での入場や通過許可を監視、管理するシステムが実用化されており、この様なシステムでは、作業車両にＩＣタグを装着し、施設、建物の部外者の出入りが制限されている区域にゲート及びリーダが設けられ、入場時に作業車両に設けられたＩＣタグを認識し、読みとったＩＤに基づいて通過許可を判断して、ゲートの開閉等の管理を行う。
しかし、作業車両単位で管理するシステムでは、急な作業変更や一人の作業者が多種の作業を行うこと等により、管理が煩雑となるため、作業車両単位ではなく、作業者単位でのＩＣタグによる管理が求められている。
【０００４】
【特許文献１】特開２００６−１７６３０４公報
【発明の開示】
【発明が解決しようとする課題】
【０００５】
しかしながら、非接触型ＩＣタグは、誘電体である水の影響を強く受けやすく、非接触型ＩＣタグを車両に代わり人間に装着すれば、人体の水分の影響で通信性能が劣化するという問題があり、人の体に取り付けての使用は困難であった。
【０００６】
そこで本発明者らは、以上のような問題点に鑑み鋭意検討の結果、三角柱状のＩＣタグ収容体を用いることにより、人に取り付けて使用しても、通信性能が劣化することなく使用できることを見出し、本発明に至った。
すなわち本発明の目的は、人体近傍において使用しても通信性能が安定したＩＣタグ収容体を提供することにある。
【課題を解決するための手段】
【０００７】
本発明は、合成樹脂または紙素材のシートを、三角柱状箱体の折り込み代を含む平面展開形状に型抜き形成し、前記平面展開形状において、前記三角柱の側面となる部分に樹脂フィルムを接着して、ポケットを設け、前記ポケット内にＩＣタグを収容し、前記ポケットを内側にして、三角柱状に組み立て、前記平面展開形状は、前記組み立て後に底面が二重となる形状であることを特徴とするＩＣタグ収容体の製造方法である。
【発明の効果】
【００１０】
本発明は、人体近傍で使用可能なＩＣタグ収容体を提供することができる。本発明のＩＣタグ収容体は、人に取り付けて使用しても通信性能が劣化せず、リーダとの通信が良好である。本発明のＩＣタグ収容体を装着した衣類やヘルメットを着用することにより、容易に作業者単位での管理を行うことが可能である。
【発明を実施するための最良の形態】
【００１１】
以下、本発明の実施形態を図面を参照しながら詳細に説明する。
図１は、本発明の実施形態に係るＩＣタグ収容体1の斜視図、図２は、実施形態に係るＩＣタグ収容体1の説明図である。図２（ａ）は、平面図であり、図２（ｂ）は、背面図であり、図２（ｃ）は、図２（ａ）におけるＡ方向からの側面図であり、図２（ｄ）は、図２（ａ）におけるＢ方向からの側面図であり、図２（ｅ）は、図２（ａ）におけるＣ−Ｃ断面図である。
【００１２】
図１に示すように、ＩＣタグ収容体１は、ＩＣタグ３とＩＣタグ３を収容する本体５とからなる。ＩＣタグ３は、本体５中に収容されており、外から観察されない。
【００１３】
ＩＣタグ３は、汎用の非接触型ＩＣタグが好適に使用可能である。例えばベースフィルム上に、アンテナとしてアンテナコイルを配設し、アンテナコイルの両端部に、非接触通信機能、処理機能、記憶機能及び入出力機能等を備えたＩＣチップを装着している。アンテナコイルに限らず、ダイポール型のアンテナを用いたＩＣタグも使用可能である。
【００１４】
本体５の形状は、三角柱状の箱体であり、図１、図２（ａ）に示すように、背面７、側面９、１１、底面１３、１５で構成される（本発明では、三角柱における三角形の面を底面、四角形の面を背面及び側面という）。
【００１５】
本体５の材質は、特に限定するものではないが、自立する程度強度がある合成樹脂または紙素材であることが好ましい。
合成樹脂としては、ポリエチレンテレフタレート、テレフタル酸−シクロヘキサンジメタノール−エチレングリコール共重合体、ポリプロピレン、ポリエチレン、ポリカーボネート、ポリアミド、ポリフェニレンサルファイド、ポリ塩化ビニル、塩化ビニル−酢酸ビニル共重合体、セルロースジアセテート、セルローストリアセテート、ポリスチレン、アクリロニトリルーブタジエンースチレン共重合体、ポリアクリル酸エステル、ポリウレタンなどの素材が使用される。また、紙素材としては、上質紙、コート紙、クラフト紙、グラシン紙、合成紙、ラテックスやメラミン含浸紙などが使用できる。耐久性、重量の面から、厚みは１００μｍ〜２ｍｍであることが好ましく、特に４５０μｍであることが好ましい。
【００１６】
背面７は、対象への装着面であり、図２（ｂ）、（ｃ）、（ｄ）に示すように、背面７には、装着手段１７が設けられる。装着手段１７として、ここでは安全ピン１９を接着剤２１を用いて取り付けたが、これに限定されるものではなく、粘着シート、面ファスナー等、装着対象に対応した装着手段１７を選択する。
【００１７】
図２（ｅ）に示すように、側面９（又は１１）は、内側にポケット２３を有し、ポケット２３内にＩＣタグ３が収容される。ポケット２３は、樹脂フィルムを側面９（又は１１）の内側に接着して形成される。
【００１８】
ポケット２３に用いる樹脂フィルムの材質は、特に限定するものではなく、ポリエチレンテレフタレート、テレフタル酸−シクロヘキサンジメタノール−エチレングリコール共重合体、ポリプロピレン、ポリエチレン、ポリカーボネート、ポリアミド、ポリフェニレンサルファイド、ポリ塩化ビニル、塩化ビニル−酢酸ビニル共重合体、セルロースジアセテート、セルローストリアセテート、ポリスチレン、アクリロニトリルーブタジエンースチレン共重合体、ポリアクリル酸エステル、ポリウレタンなどの素材が使用可能である。
【００１９】
次に、図３（ａ）〜（ｃ）を用いて、ＩＣタグ収容体１の製造方法を説明する。
【００２０】
まず合成樹脂又は紙素材のシートを、図３（ａ）に示すような、背面７、側面９、側面１１、底面１３、１３ａ、底面１５、１５ａ及び折り込み代２７を連接形成した平面展開形状に、型抜き形成する。また図３（ａ）中点線で示した折り曲げ線２５の、筋押し加工を行う。
【００２１】
次に、図３（ｂ）に示すように、側面９（又は１１）にポケット２３を設ける。ポケット２３は、樹脂フィルムを側面９（又は１１）に接着して取り付けることによって、形成される。
【００２２】
樹脂フィルムの接着方法は、特に限定するものではないが、例えば溶着により行う。一般にこのような樹脂フィルムの溶着に際しては、樹脂フィルムや被着シートの材質や厚みによって違いはあるが、シートの内側を上にして載置し、樹脂フィルムを所定箇所に配置した上で、ＩＣタグ出し入れ用の開口部以外の溶着すべき箇所に適宜温度に加熱した溶着バーを上方より適宜時間押しつけることにより、樹脂フィルムをシートに接着する。
【００２３】
ポケット２３を形成した後、図３（ｃ）に示すように、ポケット２３内にＩＣタグ３を収容し、折り曲げ線２５部を谷折りして、折り込み代２７部を差し込むことにより、ＩＣタグ収容体１が完成する。このとき、底面１３と１３ａ、底面１５と１５ａは、それぞれ重なって組み立てられる。
【００２４】
装着手段１７は、ポケット２３形成後、折り曲げ線２５を折り曲げる前又は後に、背面７に形成する。
【００２５】
次に、ＩＣタグ収容体１の使用方法について説明する。
ＩＣタグ収容体１は、背面７に設けた装着手段１７を用いて衣類やヘルメット等に固定し、作業者にそのＩＣタグ収容体１を装着した衣類やヘルメット等を着用することにより使用される。
【００２６】
図４にＩＣタグ収容体１を装着したベスト３１を示し、図５にＩＣタグ収容体４５を装着したヘルメット４１を示す。図５（ａ）は、ヘルメット４１の前面、図５（ｂ）は、ヘルメット４１の側面を示す。
【００２７】
図４に示すように、ベスト３１は、作業ベスト本体３３にＩＣタグ収容体１を装着手段１７である安全ピン１９を用いて装着する。ＩＣタグ収容体１の装着箇所は、ＩＣタグ３に対応したリーダの設置位置によって異なるが、通路等において側方上方にリーダが設置される場合には、図４に示すように前面の肩部に縦に装着することが好ましい。さらに、ＩＣタグ３を有する側面９が作業者の体の外側に向くように装着することが好ましい。
【００２８】
図５（ａ）、（ｂ）に示すように、ヘルメット４１はヘルメット本体４３にＩＣタグ収容体４５を装着手段１７を介して装着する。ＩＣタグ収容体４５は、装着手段１７が両面粘着シート４７である以外は、ＩＣタグ収容体１と同様の構成である。両面粘着シート４７には、ペフテープなどのウレタン樹脂系の両面テープを用いることが好ましい。ＩＣタグ収容体４５の装着箇所は、ＩＣタグ３に対応したリーダの設置位置によって異なるが、通路等において側方上方にリーダが設置される場合には、図５（ａ）、（ｂ）に示すように、ヘルメット本体４３の側面に横に装着することが最適である。さらに、ＩＣタグ３を有する側面９が上を向くように装着することが好ましい。
【００２９】
本実施の形態によれば、三角柱状のＩＣタグ収容体本体の側面にＩＣタグを設けることにより、人に取り付けても通信可能なＩＣタグ収容体を提供することができる。このＩＣタグ収容体は、容易に作製でき、低コストであり、取付対象を選ばず、取付対象から容易に脱着可能である。
【００３０】
また、ＩＣタグ収容体を装着したベストを着用することにより、容易に作業者単位での管理が可能となる。
【００３１】
また、ＩＣタグ収容体を装着したヘルメットを着用することにより、容易に作業者単位での管理が可能となる。
【００３２】
尚、本発明の技術的範囲は、前述した実施形態に限定されるものではなく、実施形態の種々の改変、変形等も本発明の技術的範囲に含まれる。
例えば、実施形態において用いたＩＣタグは、記載した構成に限らず他の構成のＩＣタグを用いてもよい。
【図面の簡単な説明】
【００３３】
【図１】第１の実施形態に係るＩＣタグ収容体１の斜視図である。
【図２】第１の実施形態に係るＩＣタグ収容体１の説明図である。
【図３】第１の実施形態に係るＩＣタグ収容体１の平面展開図である。
【図４】ＩＣタグ収容体１を装着したベスト３１である。
【図５】ＩＣタグ収容体４５を装着したヘルメット４１である。
【符号の説明】
【００３４】
１………ＩＣタグ収容体
３………ＩＣタグ
５………本体
７………背面
９………側面
１１………側面
１３………底面
１５………底面
１７………装着手段
１９………安全ピン
２１………接着剤
２３………ポケット
２５………折り曲げ線
２７………折り込み代
３１………ベスト
３３………作業ベスト本体
４１………ヘルメット
４３………ヘルメット本体
４５………ＩＣタグ収容体
４７………両面粘着シート
【図１】
0004831092.tif 000002
【図２】
0004831092.tif 000003
【図３】
0004831092.tif 000004
【図４】
0004831092.tif 000005
【図５】
0004831092.tif 000006